(57)【要約】【課題】色信号の輝度補正方法及び装置を提供する。【解決手段】色信号の許容輝度比を求める段階と、許容輝度比を利用して色信号の輝度向上比を求める段階及び輝度向上比を利用して色信号の輝度を補正する段階を備え、許容輝度比は、色信号が３色で表示される場合の彩度に対応した輝度に対する、色信号が４色以上の多元色で表示される場合の彩度に対応した輝度の比に該当することを特徴とする方法である。これにより、入力色信号の彩度が高くなるほど輝度を相対的に大きく上昇させ、入力色信号の彩度が低くなるほど輝度を相対的に小さく低下させ、低いか、または中間程度の強度レベルを有する色信号の輝度を向上させて画質の劣化を改善できる。【選択図】図３
2005160085.tif 000002
【特許請求の範囲】
【請求項１】
（ａ）色信号の許容輝度比を求める段階と、
（ｂ）前記許容輝度比を利用して前記色信号の輝度向上比を求める段階と、
（ｃ）前記輝度向上比を利用して前記色信号の輝度を補正する段階とを備え、
前記許容輝度比は、色信号が３色で表示される場合の彩度に対応した輝度に対する、色信号が４色以上の多元色で表示される場合の彩度に対応した輝度の比であることを特徴とする色信号の輝度補正方法。
【請求項２】
前記（ｂ）段階は前記許容輝度比と所定値とを利用して前記輝度向上比を求めることを特徴とする請求項１に記載の色信号の輝度補正方法。
【請求項３】
前記所定値は前記色信号の最大輝度比に該当することを特徴とする請求項２に記載の色信号の輝度補正方法。
【請求項４】
前記所定値は、
赤（Ｒ）、緑（Ｇ）、青（Ｂ）及び任意の色成分（Ｘ）で映像の画素を表現するとき、Ｘの強度レベルが最大であるときの前記画素の輝度レベルで、前記ＲＧＢＸの強度レベルが最大であるときの前記画素の輝度レベルを除算した結果に該当することを特徴とする請求項２に記載の色信号の輝度補正方法。
【請求項５】
前記色信号の輝度補正方法は、
前記（ａ）段階後に、前記許容輝度比が前記所定値より小さいか否かを判断し、前記許容輝度比が前記所定値より小さいと判断されれば前記（ｂ）段階に進む段階と、
前記許容輝度比が前記所定値以上であると判断されれば、前記色信号の輝度を補正せずにバイパスさせる段階とをさらに備えることを特徴とする請求項２に記載の色信号の輝度補正方法。
【請求項６】
前記（ａ）段階は、
多次元色空間上で色表現が可能であり、事前に保存された最外郭値のうち前記色信号に該当する最外郭値を前記許容輝度比として決定する段階を備えることを特徴とする請求項１に記載の色信号の輝度補正方法。
【請求項７】
前記（ａ）段階は、
前記色信号の彩度値を求める段階と、
多次元色空間上で色表現が可能であり、事前に保存された最外郭値のうち前記彩度値に該当する最外郭値を前記許容輝度比として決定する段階とを備えることを特徴とする請求項１に記載の色信号の輝度補正方法。
【請求項８】
前記彩度値を求める段階は、
前記色信号のチャンネルの強度レベルうち最大値と最小値とを求める段階と、
前記最大値で前記最小値を除算し、除算された結果を前記彩度値として決定する段階とを備えることを特徴とする請求項７に記載の色信号の輝度補正方法。
【請求項９】
前記（ａ）段階は、
前記色信号のチャンネルの強度レベルうち最大値と最小値とを求める段階と、
前記最大値から前記最小値を減算する段階と、
前記最大値から前記減算された結果を除算し、除算された結果を前記許容輝度比として決定する段階とを備えることを特徴とする請求項１に記載の色信号の輝度補正方法。
【請求項１０】
前記（ｂ）段階は、
事前に保存された前記輝度向上比のうち前記許容輝度比に該当する輝度向上比を選択することを特徴とする請求項１に記載の色信号の輝度補正方法。
【請求項１１】
前記（ｂ）段階は、
前記所定値から前記許容輝度比を減算し、減算された結果を前記輝度向上比として決定する段階を備えることを特徴とする請求項２に記載の色信号の輝度補正方法。
【請求項１２】
前記（ｂ）段階は、
前記許容輝度比を前記所定値で除算し、除算された結果を前記輝度向上比として決定する段階を備えることを特徴とする請求項２に記載の色信号の輝度補正方法。
【請求項１３】
前記輝度向上比の大きさは可変であることを特徴とする請求項１１に記載の色信号の輝度補正方法。
【請求項１４】
前記（ｃ）段階は、
前記色信号のチャンネルそれぞれＰｉが有しうる最大強度レベルから前記チャンネルＰｉの強度レベルＸｉを減算する段階と、
減算された結果を前記最大強度レベルで除算する段階と、
前記除算された結果を前記輝度向上比及び前記強度レベルＸｉと乗算する段階と、
前記乗算された結果を前記強度レベルＸｉと加算し、加算された結果を前記チャンネルＰｉの輝度が補正された結果として決定する段階とを備えることを特徴とする請求項１に記載の色信号の輝度補正方法。
【請求項１５】
前記（ｃ）段階は、
前記色信号のチャンネルそれぞれＰｉの強度レベルＸｉを前記色信号のチャンネルそれぞれＰｉが有しうる最大強度レベルで除算する段階と、
除算された結果に前記輝度向上比を指数乗する段階と、
前記指数乗した結果に前記最大強度レベルを乗算し、乗算された結果を前記チャンネルＰｉの輝度が補正された結果として決定する段階とを備えることを特徴とする請求項１に記載の色信号の輝度補正方法。
【請求項１６】
前記（ｃ）段階は、
前記色信号のチャンネルそれぞれＰｉが有しうる最大強度レベルから前記色信号のチャンネルの強度レベルのうち最大値を減算する段階と、
減算された結果を前記最大強度レベルで除算する段階と、
前記除算された結果を前記輝度向上比及び前記最大値と乗算する段階と、
前記乗算された結果を前記最大値と加算し、加算された結果を前記チャンネルＰｉの輝度が補正された結果として決定する段階とを備えることを特徴とする請求項１に記載の色信号の輝度補正方法。
【請求項１７】
色信号の許容輝度比を計算する許容輝度比計算部と、
前記許容輝度比から前記色信号の輝度向上比を計算する輝度向上比計算部と、
前記輝度向上比を利用して前記色信号の輝度を補正する輝度補正部とを備え、
前記許容輝度比は、色信号が３色で表示される場合の彩度に対応した輝度に対する、色信号が４色以上の多元色で表示される場合の彩度に対応した輝度の比であることを特徴とする色信号の輝度補正装置。
【請求項１８】
前記輝度向上比計算部は、
前記許容輝度比と所定値とから前記輝度向上比を計算することを特徴とする請求項１７に記載の色信号の輝度補正装置。
【請求項１９】
前記色信号の輝度補正装置は、
前記許容輝度比と前記所定値とを比較し、比較された結果を出力する比較部と、
前記比較された結果に応答して前記色信号を前記輝度補正部に出力するか、または外部にバイパスさせる信号連結部とをさらに備えることを特徴とする請求項１８に記載の色信号の輝度補正装置。
【請求項２０】
前記許容輝度比計算部は、
多次元色空間上で色表現可能な最外郭値をデータとして事前に保存し、アドレスとして入力される前記色信号に応答して該当する最外郭値を前記許容輝度比として読み込む第１ルックアップテーブルを備えることを特徴とする請求項１７に記載の色信号の輝度補正装置。
【請求項２１】
前記許容輝度比計算部は、
前記色信号の彩度値を計算する彩度計算部と、
多次元色空間上で色表現可能な最外郭値をデータとして保存し、アドレスとして入力される前記彩度値に応答して該当する最外郭値を前記許容輝度比として読み込む第２ルックアップテーブルを備えることを特徴とする請求項１７に記載の色信号の輝度補正装置。
【請求項２２】
前記許容輝度比計算部は、
前記色信号のチャンネルの強度レベルのうち最大値を抽出する最大値抽出部と、
前記色信号のチャンネルの前記強度レベルのうち最小値を抽出する最小値抽出部と、
前記最大値から前記最小値を減算する第１減算部と、
前記最大値から前記第１減算部で減算された結果を除算し、除算された結果を前記許容輝度比として出力する第１除算部とを備えることを特徴とする請求項１７に記載の色信号の輝度補正装置。
【請求項２３】
前記輝度向上比計算部は、
前記輝度向上比をデータとして保存し、アドレスとして入力される前記許容輝度比に応答して該当する輝度向上比を読み込む第３ルックアップテーブルを備えることを特徴とする請求項１７に記載の色信号の輝度補正装置。
【請求項２４】
前記輝度向上比計算部は、
前記所定値から前記許容輝度比を減算し、減算された結果を前記輝度向上比として出力する第２減算部を備えることを特徴とする請求項１８に記載の色信号の輝度補正装置。
【請求項２５】
前記輝度向上比計算部は、
前記許容輝度比を前記所定値で除算し、除算された結果を前記輝度向上比として出力する第２除算部を備えることを特徴とする請求項１８に記載の色信号の輝度補正装置。
【請求項２６】
前記輝度向上比計算部は、
前記第２減算部で減算された結果に第１制御定数を乗算し、乗算された結果を前記輝度向上比として出力する第１乗算部をさらに備えることを特徴とする請求項２４に記載の色信号の輝度補正装置。
【請求項２７】
前記輝度向上比計算部は、
前記第２除算部で除算された結果に第２制御定数を乗算し、乗算された結果を前記輝度向上比として出力する第２乗算部をさらに備えることを特徴とする請求項２５に記載の色信号の輝度補正装置。
【請求項２８】
前記輝度補正部は、
前記色信号のチャンネルそれぞれＰｉが有しうる最大強度レベルから前記チャンネルＰｉの強度レベルＸｉを減算する第３減算部と、
前記第３減算部で減算された結果を前記最大強度レベルで除算する第３除算部と、
前記第３除算部で除算された結果を前記輝度向上比及び前記強度レベルＸｉと乗算する第３乗算部と、
前記第３乗算部で前記乗算された結果を前記強度レベルＸｉと加算し、加算された結果を前記チャンネルＰｉの輝度が補正された結果として出力する第１加算部とを備えることを特徴とする請求項１７に記載の色信号の輝度補正装置。
【請求項２９】
前記輝度補正部は、
前記色信号のチャンネルそれぞれＰｉの強度レベルＸｉを前記色信号のチャンネルそれぞれＰｉが有しうる最大強度レベルで除算する第４除算部と、
前記第４除算部で除算された結果に前記輝度向上比を指数乗する指数部と、
前記指数乗した結果に前記最大強度レベルを乗算し、乗算された結果を前記チャンネルＰｉの輝度が補正された結果として出力する第４乗算部とを備えることを特徴とする請求項１７に記載の色信号の輝度補正装置。
【請求項３０】
前記輝度補正部は、
前記色信号のチャンネルそれぞれＰｉが有しうる最大強度レベルから前記色信号のチャンネルの強度レベルのうち最大値を減算する第４減算部と、
前記第４減算部で減算された結果を前記最大強度レベルで除算する第５除算部と、
前記第５除算部で除算された結果を前記輝度向上比及び前記最大値と乗算する第５乗算部と、
前記乗算された結果を前記最大値と加算し、加算された結果を前記チャンネルＰｉの輝度が補正された結果として出力する第２加算部とを備えることを特徴とする請求項１７に記載の色信号の輝度補正装置。
【請求項３１】
低いかまたは中間強度レベルを有する色信号の輝度を改善させる方法において、
前記色信号の彩度を決定する段階と、
前記色信号の彩度によって前記色信号の輝度を上昇／低下させる段階を備えることを特徴とする色信号の輝度補正方法。
【請求項３２】
高彩度を有する信号と低彩度を有する信号間の輝度差を縮める方法において、
色信号の許容輝度比と所定値との間の差が存在するか否かを判断する段階と、
前記差が存在すると判断されれば、前記色信号の彩度値、前記許容輝度比と前記所定値間の差及び前記許容輝度比を前記所定値で除算した結果のうち一つによって前記色信号の輝度向上比を調整する段階とを備えることを特徴とする色信号の輝度補正方法。
【発明の詳細な説明】
【技術分野】
【０００１】
本発明はディスプレイモニタまたはカラーテレビのような多元色映像表示装置に係り、さらに詳細には多元色映像表示装置で行われる色信号の輝度補正方法及びその多元色映像表示装置に含まれる色信号の輝度補正装置に関する。
【背景技術】
【０００２】
４色以上の原色を表現する多元色映像表示装置の場合、３色以上の多元色間の合成で作られた合成色、例えば無彩色系は輝度が高いが、原色系の色信号の輝度は合成色に比べて相対的に低い。ここで、原色系の色信号とはそれぞれの原色または２原色をつなぐ線または面積に近い色信号を意味する。特に、原色の数が４以上になる場合、原色系の色信号の輝度と合成色間の輝度との差はさらに大きくなる。
図１は、４色の原色を表現する多元色映像表示装置の色表現範囲を赤色（Ｒ：Ｒｅｄ）と緑色（Ｇ：Ｇｒｅｅｎ）軸を利用して二次元平面で図示した例である。
【０００３】
図１を参照すれば、多元色映像表示装置で表現される任意の色信号は色座標空間の６角形（Ｏｒｇ−Ｑ３−Ｑ１−Ｑ４−Ｑ５−Ｑ６）内部で固有座標を有する。一般的に、３色映像表示装置が３次元空間上で六面体であって二次元空間上で四角形である一方、多元色映像表示装置は３次元空間上で７面以上の多面体であって二次元空間上で５角形以上の多角形である。また、図１に図示された色領域（Ｏｒｇ−Ｑ１−Ｑ４−Ｑ５）内部は彩度が低い色信号より構成され、この色領域（Ｏｒｇ−Ｑ１−Ｑ４−Ｑ５）にある色信号のベクトル長（または、輝度大きさまたは輝度量）は所定値を有する。一方、色領域（Ｏｒｇ−Ｑ３−Ｑ１）と色領域（Ｏｒｇ−Ｑ６−Ｑ５）内部は高彩度の色信号より構成され、この色領域にある色信号のベクトル長は所定値より小さくて彩度によって変わる。すなわち、２色の色信号が同じ輝度と相異なる彩度を有し、２色の色信号のうち少なくとも１つが色領域［（Ｏｒｇ−Ｑ３−Ｑ１）または（Ｏｒｇ−Ｑ６−Ｑ５）］の内部に置かれる場合、４原色映像表示装置の出力で２色の色信号は相異なる輝度と相異なる彩度とで表示される。このように高彩度の色信号の相対的輝度低下によって画質劣化が引き起こされうる。
【０００４】
図２は図１の多元色映像表示装置で、色表現範囲を彩度軸と輝度比軸とを有する二次元平面で図示した図面であり、Ｑ１ないしＱ６は図１に図示されたＱ１ないしＱ６に相当する。
図２に図示されたＱ１−Ｑ４−Ｑ５の彩度範囲は一定な輝度比の値を有するが、Ｑ１−Ｑ２−Ｑ３またはＱ５−Ｑ６の彩度範囲は彩度が高くなるほど輝度比が小さくなる。その理由は、映像表示装置で原色の数が増えるほどにそれぞれの原色の発光時間または発光面積が小さくなり、それによって輝度が低下するということである。
以下、従来の輝度向上方法を次の通り説明する。
従来の輝度向上方法のうち一つとして、特許文献１が開示されている。ここに開示された従来の輝度向上方法は、ＲＧＢにオフセット値を印加して映像信号の輝度を簡単に上昇させることである。しかし、このような従来の輝度向上方法はオフセット値を使用するので、全体色を明るくして映像のコントラストを低下させる問題点を有する。
【０００５】
従来の輝度向上方法のうち他の一つとして、ガンマ関数を利用する方法がインターネットアドレス（ＵＲＬ：Ｕｎｉｆｏｒｍ Ｒｅｓｏｕｒｃｅ Ｌｏｃａｔｏｒ）であるｈｔｔｐ：／／ｗｗｗ．ｐｏｙｎｔｏｎ．ｃｏｍ／ＧａｍｍａＦＡＱ．ｈｔｍｌに開示されている。ここに開示された従来の輝度向上方法によれば、放送規約でのように輝度成分Ｙだけにガンマ関数を適用することもあり、かつＲＧＢ各成分にガンマ関数を適用することもある。前者の場合、ＲＧＢを１つの輝度信号Ｙと２つの色差信号［（Ｃｂ及びＣｒ）または（Ｉ及びＱ）］に分離した後、輝度信号Ｙにガンマ関数を適用して輝度を上昇させた後、これを再びＲＧＢ信号に変換する。このような従来の輝度向上方法は、全体色領域に対して全ての色を向上させるので、高彩度の色と低彩度の色間の輝度差を相変らず示す問題点を有する。
【０００６】
従来の輝度向上方法のうちさらに他の一つとして、ヒストグラム平滑化を利用する方法が非特許文献１及び非特許文献２に開示されている。ここに開示された従来の輝度向上方法は、映像内で画素が有しうる値の全体領域にわたって輝度とコントラストとを上昇させることである。このような従来の輝度向上方法は、全体色領域に対していずれも輝度向上をさせるので、高彩度の色と低彩度の色間の輝度差を相変らず示してしまうという問題点を有する。
前述のように、従来の輝度向上方法は彩度による輝度差を相変らず示すために、特に高彩度の色であるほど輝度上昇量が少なくなって映像表示装置で色再現時映像の画質を劣化させる問題点を有する。
【特許文献１】米国特許第４７１７９５３号明細書
【非特許文献１】Ｗ．Ｋ．プラット（Ｗ．Ｋ．Ｐｒａｔｔ），「ディジタル画像処理（Ｄｉｇｉｔａｌ Ｉｍａｇｅ Ｐｒｏｃｅｓｓｉｎｇ）」，ウィスレー出版（Ｗｉｓｌｅｙ），（米国），１９７８
【非特許文献２】Ｒ．Ｃ．ゴンザレス＆Ｒ．Ｅ．ウッズ（Ｒ．Ｃ．Ｇｏｎｚａｌｅｚ＆Ｒ．Ｅ．Ｗｏｏｄｓ），「ディジタル画像処理（Ｄｉｇｉｔａｌ Ｉｍａｇｅ Ｐｒｏｃｅｓｓｉｎｇ）」，ウィスレー出版（Ｗｅｓｌｅｙ），（米国），１９９３
【発明の開示】
【発明が解決しようとする課題】
【０００７】
本発明が解決しようとする技術的課題は、多元色映像表示装置で多元色からなる色表現範囲（または、座標）に置かれている任意の色信号の輝度値を当該色信号の彩度によって向上させられる色信号の輝度補正方法を提供するところにある。
本発明が解決しようとする他の技術的課題は、特定色領域（または、座標）に置かれている色信号の輝度値を該当色信号の彩度によって向上させられる色信号の輝度補正装置を提供するところにある。
【課題を解決するための手段】
【０００８】
前記課題を解決するための本発明による色信号の輝度補正方法は、色信号の許容輝度比を求める段階と、前記許容輝度比を利用して前記色信号の輝度向上比を求める段階及び前記輝度向上比を利用して前記色信号の輝度を補正する段階からなり、前記輝度比は３色で前記色信号を表示するとき、彩度別輝度に対応して４色以上の多元色で前記色信号を表示するときの彩度別輝度の比に該当することが望ましい。
または、低いかまたは中間強度レベルを有する色信号の輝度を改善させる本発明の実施形態による方法は、前記色信号の彩度を決定する段階及び前記色信号の彩度に比例して前記色信号の輝度を上昇／低下させる段階からなることが望ましい。
【０００９】
または、高彩度を有する信号と低彩度を有する信号間の輝度差を縮める本発明の実施形態による方法は、色信号の許容輝度比と所定値間の差が存在するか否かを判断する段階及び前記差が存在すると判断されれば、前記色信号の彩度値、前記許容輝度比と前記所定値間の差及び前記許容輝度比を前記所定値で除算した結果のうち一つによって前記色信号の輝度向上比を調整する段階からなることが望ましい。
前記他の課題を解決するための本発明による色信号の輝度補正装置は、色信号の許容輝度比を計算する許容輝度比計算部、前記許容輝度比から前記色信号の輝度向上比を計算する輝度向上比計算部及び前記輝度向上比を利用して前記色信号の輝度を補正する輝度補正部より構成され、前記輝度比は前記色信号を３色で表示するとき、彩度別輝度に対応して４色以上の多元色で前記色信号を表示するときの彩度別輝度の比に該当することが望ましい。
【発明の効果】
【００１０】
本発明による色信号の輝度補正方法及び装置は、色信号の許容輝度比と所定値間の差が存在すれば、色信号の彩度値、許容輝度比と所定値間の差または許容輝度比と所定値間の除算された結果によって輝度向上比を異ならせ、高彩度の信号と低彩度の信号間に輝度差を縮め、すなわち入力色信号の彩度が高くなるほど輝度を相対的に大きく上昇させ、入力色信号の彩度が低くなるほど輝度を相対的に小さく低下させ、低いか、または中間程度の強度レベルを有する色信号の輝度を向上させて画質の劣化を改善できる効果を有する。
【発明を実施するための最良の形態】
【００１１】
以下、本発明による色信号の輝度補正方法を添付された図面を参照して次の通り説明する。
図３は、本発明による色信号の輝度補正方法の一実施形態を説明するためのフローチャートであり、色信号の許容輝度比から求めた輝度向上比を利用して色信号の輝度を補正する段階（第１０〜第１８段階）からなる。
本発明によれば、色信号の輝度補正方法は、まず色信号の許容輝度比を求める（第１０段階）。ここで、許容輝度比とは、色信号が３色で表示される場合の彩度に対応した輝度に対する、色信号が４色以上の多元色で表示される場合の彩度に対応した輝度の比のことを意味する。
【００１２】
第１０段階後に、許容輝度比が所定値より小さいか否かを判断する（第１２段階）。
本発明の一実施形態によれば、所定値は色信号の最大輝度比に該当しうる。すなわち、図１または図２に図示されたように輝度を向上させる色範囲は、Ｑ１−Ｑ２−Ｑ３またはＱ５−Ｑ６なので、Ｑ１またはＱ５位置での輝度比が輝度向上閾値として所定値になりうる。
本発明の他の実施形態によれば、赤（Ｒ）、緑（Ｇ）、青（Ｂ）及び任意の色成分（Ｘ）で映像の画素を表現するとき、Ｘの強度レベルが最大であるときの画素の輝度レベルでＲＧＢＸの強度レベルが最大であるときの画素の輝度レベルを除算した結果が所定値になることもある。すなわち、所定値Ｃ１は次の数式（１）のように表現されうる。
【数１】
2005160085.tif 000003
ここで、Ｌｕｍｉｎａｎｃｅ（Ｘ−ｃｈａｎｎｅｌ）はＲＧＢの強度レベルが最小であってＸの強度レベルが最大であるときのそのＲＧＢＸにより表現される画素の輝度レベルを示し、Ｌｕｍｉｎａｎｃｅ（ＲＧＢＸ−ｃｈａｎｎｅｌ）はＲＧＢＸの強度レベルが最大であるときのそのＲＧＢＸにより表現される画素の輝度レベルを示す。
もし、許容輝度比が所定値以上であると判断されれば、色信号の輝度を補正せずにバイパスさせる（第１４段階）。
【００１３】
しかし、許容輝度比が所定値より小さいと判断されれば、許容輝度比を利用して色信号の輝度向上比を求める（第１６段階）。または、許容輝度比が所定値より小さいと判断されれば、許容輝度比だけでなく所定値も利用しつつ輝度向上比を求めることもある（第１６段階）。第１６段階後に、輝度向上比を利用して色信号の輝度を補正する（第１８段階）。
本発明の一実施形態によれば、図３に図示されたように、色信号の輝度補正方法は第１０〜第１８段階からなる。
しかし、本発明の他の実施形態によれば、図３に図示された方法とは異なり、色信号の輝度補正方法は、第１０、第１４、第１６及び第１８段階からなりうる。この場合、第１０段階後に、色信号の輝度向上比を求める（第１６段階）。このとき、色信号の輝度向上比により、第１８段階で色信号の輝度が補正されるか、または第１４段階で色信号の輝度が補正されずに色信号がバイパスされる。例えば、第１６段階で求めた輝度向上比が「０」であるならば、色信号の輝度を補正しない（第１４段階）。しかし、第１６段階で求めた輝度向上比が「０」がでなければ、色信号の輝度を補正する（第１８段階）。
【００１４】
以下、図３に図示された第１０段階に対する本発明による実施形態を添付された図面を参照して次の通り説明する。
図４は、図３に図示された第１０段階に対する本発明による一実施形態１０Ａを説明するためのフローチャートであり、色信号に該当する最外郭値を許容輝度比として決定する段階（第２０段階）からなる。
図３に図示された第１０段階の一実施形態１０Ａによれば、多次元色空間上で表現可能であって事前に保存された最外郭値のうち色信号に該当する最外郭値を許容輝度比として決定する（第２０段階）。
【００１５】
図５は、図３に図示された第１０段階に対する本発明による他の実施形態１０Ｂを説明するためのフローチャートであり、色信号の彩度値に該当する最外郭値を許容輝度比として決定する段階（第３０及び第３２段階）からなる。
図３に図示された第１０段階の他の実施形態１０Ｂによれば、まず色信号の彩度値を求める（第３０段階）。
図６は図５に図示された第３０段階に対する本発明による実施形態３０Ａを説明するためのフローチャートであり、色信号のチャンネルの強度レベルのうち最大値と最小値とを利用して彩度値を求める段階（第４０及び第４２段階）からなる。
図６を参照すれば、色信号のチャンネルの強度レベルのうち最大値と最小値とを求める（第４０段階）。第４０段階後に、最小値を最大値で除算し、除算された結果を彩度値として決定する（第４２段階）。すなわち、彩度値Ｃｈは次の数式（２）のように表現されうる。
Ｃｈ＝Ｍｉｎ（Ｘ１， Ｘ２， Ｘ３）／Ｍａｘ（Ｘ１， Ｘ２， Ｘ３）    ・・・（２）
ここで、Ｘ１，Ｘ２及びＸ３は色信号のチャンネルの強度レベルを示して負数範囲を有し、Ｍａｘ（Ｘ１，Ｘ２，Ｘ３）は色信号のチャンネルの強度レベル（Ｘ１，Ｘ２及びＸ３のうち最大値を示し、Ｍｉｎ（Ｘ１，Ｘ２，Ｘ３）は色信号のチャンネルの強度レベルＸ１，Ｘ２及びＸ３のうち最小値を示す。
【００１６】
図５に戻って、第３０段階後に、多次元色空間上で色表現が可能であり、事前に保存された最外郭値のうち彩度値に該当する最外郭値を許容輝度比として決定する（第３２段階）。
図７は図３に図示された第１０段階に関わる本発明による他の実施形態１０Ｃを説明するためのフローチャートであり、色信号のチャンネルの強度レベルのうち最大値と最小値とを利用して許容輝度比を求める段階（第５０〜第５４段階）からなる。
図３に図示された第１０段階のさらに他の実施形態１０Ｃによれば、色信号のチャンネルの強度レベル（Ｘ１，Ｘ２及びＸ３のうち最大値［Ｍａｘ（Ｘ１，Ｘ２，Ｘ３）］と最小値［Ｍｉｎ（Ｘ１，Ｘ２，Ｘ３）］とを求める（第５０段階）。第５０段階後に、最大値［Ｍａｘ（Ｘ１，Ｘ２，Ｘ３）］から最小値［Ｍｉｎ（Ｘ１，Ｘ２，Ｘ３）］を減算する（第５２段階）。第５２段階後に、減算された結果で最大値［Ｍａｘ（Ｘ１，Ｘ２，Ｘ３）］を除算し、除算された結果を許容輝度比として決定する（第５４段階）。すなわち、許容輝度比ａＢｒｔは次の数式（３）のように表現されうる。
【数２】
2005160085.tif 000004
図３に図示された色信号の輝度補正方法で第１２段階が設けられない場合、図４、図５または図７に図示された第２０、第３２または第５４段階後に第１２段階に進む代わりに１６段階に進む。
【００１７】
以下、図３に図示された第１６段階に関わる本発明による実施形態を添付された図面を参照して次の通り説明する。
図８は図３に図示された第１６段階に関わる本発明による望ましい一実施形態１６Ａを説明するためのフローチャートであり、許容輝度比に該当する輝度向上比を選択する段階（第６０段階）からなる。
図３に図示された第１６段階の一実施形態１６Ａによれば、事前に保存された輝度向上比のうち許容輝度比に該当する輝度向上比を選択し、第１８段階に進む（第６０段階）。
図９は、図３に図示された第１６段階に関わる本発明による望ましい他の実施形態１６Ｂを説明するためのフローチャートであり、所定値から許容輝度比を減算して輝度向上比を求める段階（第７０段階）からなる。
図３に図示された第１６段階の他の実施形態１６Ｂによれば、所定値から許容輝度比を減算し、減算された結果を輝度向上比として決定し、第１８段階に進む（第７０段階）。すなわち、輝度向上比Ｂ＿ｉｎｃは次の数式（４）のように表現されうる。
Ｂ＿ｉｎｃ＝Ｃ２×（Ｃ１−ａＢｒｔ）        ・・・（４）
ここで、Ｃ２は第１制御定数を示し、第１制御定数を利用して輝度向上比Ｂ＿ｉｎｃの大きさを変えることができる。
【００１８】
図１０は、図３に図示された第１６段階に関わる本発明による望ましいさらに他の実施形態１６Ｃを説明するためのフローチャートであり、許容輝度比を所定値で除算して輝度向上比を求める段階（第８０段階）からなる。
図３に図示された第１６段階のさらに他の実施形態１６Ｃによれば、許容輝度比を所定値で除算し、除算された結果を輝度向上比として決定して第１８段階に進む（第８０段階）。すなわち、輝度向上比Ｂ＿ｉｎｃは次の数式（５）のように表現されうる。
【数３】
2005160085.tif 000005
ここで、Ｃ３は第２制御定数を示し、第２制御定数を利用して輝度向上比Ｂ＿ｉｎｃの大きさを変えることができる。
【００１９】
以下、図３に図示された第１８段階に関わる本発明による実施形態を添付された図面を参照して次の通り説明する。
図１１は、図３に図示された第１８段階に関わる本発明による一実施形態１８Ａを説明するためのフローチャートであり、最大強度レベル及び輝度向上比を利用して色信号の輝度を補正する段階（第９０〜第９６段階）からなる。
図３に図示された第１８段階の本発明による一実施形態１８Ａによれば、色信号のチャンネルそれぞれＰｉ（１≦ｉ≦３）が有しうる最大強度レベルからチャンネルＰｉの強度レベルＸｉを減算する（第９０段階）。第９０段階で減算された結果を最大強度レベルで除算する（第９２段階）。第９２段階後に、除算された結果を輝度向上比及び強度レベルＸｉと乗算し（第９４段階）、第９４段階後に乗算された結果を強度レベルＸｉと加算し、加算された結果をチャンネルＰｉの輝度が補正された結果Ｐｉ’として決定する（第９６段階）。すなわち、色信号の各チャンネルＰｉの輝度が補正された結果Ｐｉ’は次の数式（６）のように表現されうる。
【数４】
2005160085.tif 000006
ここで、ｍａｘＶａｌｕｅは色信号のチャンネルそれぞれＰｉが有しうる最大強度レベルであり、８ビット色信号の場合に２５６に該当する。
【００２０】
図１２は、図３に図示された第１８段階に関わる本発明による他の実施形態１８Ｂを説明するためのフローチャートであり、最大強度レベル及び輝度向上比を利用して色信号の輝度を補正する段階（第１００〜第１０４段階）からなる。
図３に図示された第１８段階の本発明による他の実施形態１８Ｂによれば、色信号のチャンネルそれぞれＰｉの強度レベルＸｉを色信号のチャンネルそれぞれＰｉが有しうる最大強度レベルｍａｘＶａｌｕｅで除算する（第１００段階）。第１００段階後に、除算された結果に輝度向上比Ｂ＿ｉｎｃを指数乗する（第１０２段階）。第１０２段階後に、指数乗した結果に最大強度レベルｍａｘＶａｌｕｅを乗算し、乗算された結果をチャンネルＰｉの輝度が補正された結果Ｐｉ’として決定する（第１０４段階）。すなわち、色信号の各チャンネルの輝度が補正された結果Ｐｉ’は次の数式（７）のように表現されうる。
【数５】
2005160085.tif 000007
図１３は図３に図示された第１８段階に関わる本発明によるさらに他の実施形態１８Ｃを説明するためのフローチャートであり、最大強度レベル及び輝度向上比を利用して色信号の輝度を補正する段階（第１１０〜第１１６段階）からなる。
【００２１】
図３に図示された第１８段階の本発明によるさらに他の実施形態１８Ｃによれば、色信号のチャンネルそれぞれＰｉが有しうる最大強度レベルｍａｘＶａｌｕｅから色信号のチャンネルの強度レベルＸ１，Ｘ２及びＸ３のうち最大値Ｍａｘを減算する（第１１０段階）。第１１０段階後に、減算された結果を最大強度レベルｍａｘＶａｌｕｅで除算する（第１１２段階）。第１１２段階後に、除算された結果を輝度向上比Ｂ＿ｉｎｃ及び最大値Ｍａｘと乗算する（第１１４段階）。第１１４段階後に、乗算された結果を最大値Ｍａｘと加算し、加算された結果をチャンネルＰｉの輝度が補正された結果Ｐｉ’として決定する（第１１６段階）。すなわち、色信号の各チャンネルの輝度が補正された結果Ｐｉ’は次の数式（８）のように表現されうる。
【数６】
2005160085.tif 000008
前記の図１１に図示された第９０〜第９６段階は色信号の各チャンネルＰｉに対して行われ、図１２に図示された第１００〜第１０４段階は色信号の各チャンネルＰｉに対して行われ、図１３に図示された第１１０〜第１１６段階は色信号の各チャンネルＰｉに対して行われる。
【００２２】
以下、本発明による色信号の輝度補正装置の構成及び動作を添付された図面を参照して次の通り説明する。
図１４は本発明による色信号の輝度補正装置の一実施形態のブロック図であり、許容輝度比計算部２００、輝度向上比計算部２０２、輝度補正部２０４、比較部２０６及び信号連結部２０８より構成される。
図１４に図示された色信号の輝度補正装置は図３に図示された色信号の輝度補正方法を行う役割を果たす。
図３に図示された第１０段階を行うために、許容輝度比計算部２００は入力端子ＩＮ１を介して入力された色信号の許容輝度比を計算し、計算された許容輝度比を輝度向上比計算部２０２及び比較部２０６にそれぞれ出力する。
【００２３】
第１２段階を行うために、比較部２０６は許容輝度比計算部２００から入力された許容輝度比と入力端子ＩＮ２を介して入力された所定値とを比較し、比較された結果を出力する。このとき、信号連結部２０８は入力端子ＩＮ１を介して入力された色信号を比較部２０６で比較された結果に応答させて輝度補正部２０４に出力するか、または出力端子ＯＵＴ１を介して外部にバイパスさせる。もし、信号連結部２０８は比較部２０６で比較された結果を介して許容輝度比が所定値以上であると認識されれば、第１４段階を行うために、入力端子ＩＮ１を介して入力された色信号の輝度を補正せずに、出力端子ＯＵＴ１を介してバイパスさせる。しかし、信号連結部２０８は比較部２０６で比較された結果を介して許容輝度比が所定値より小さいと認識されれば、入力端子ＩＮ１を介して入力された色信号を輝度補正部２０４に出力させる。
第１６段階を行うために、輝度向上比計算部２０２は許容輝度比計算部２００から入力された許容輝度比から色信号の輝度向上比を計算し、計算された輝度向上比を輝度補正部２０４に出力する。このとき、輝度向上比計算部２０２は許容輝度比計算部２００から入力された許容輝度比と入力端子ＩＮ２を介して入力された所定値とから輝度向上比を計算することもある。
【００２４】
本発明によれば、輝度向上比計算部２０２は比較部２０６で比較された結果に応答して輝度向上比を計算することもある。例えば、比較部２０６から入力された比較された結果を介して許容輝度比が所定値より小さいと認識されれば、輝度向上比計算部２０２は色信号の輝度向上比を計算する。しかし、比較部２０６から入力された比較された結果を介して許容輝度比が所定値以上であると認識されれば、輝度向上比計算部２０２は色信号の輝度向上比を計算しない。
第１８段階を行うために、輝度補正部２０４は輝度向上比計算部２０２から入力された輝度向上比を利用して信号連結部２０８から入力された色信号の輝度を補正し、輝度が補正された結果を出力端子ＯＵＴ２を介して出力する。このとき、輝度が補正された結果はディスプレイパネル部（図示せず）に出力されるか、または多元色計算部（図示せず）に出力されうる。ここで、ディスプレイパネル部は輝度が補正された結果がディスプレイされうるように輝度が補正された結果を操作する役割を行い、多元色計算部は輝度が補正された結果を前処理した後でディスプレイパネル部に伝送する役割を果たす。
【００２５】
図３に図示された色信号の輝度補正方法が第１２段階を設けない場合、図１４に図示された輝度補正装置は比較部２０６と信号連結部２０８とを設けない。このとき、本発明の一実施形態によれば、輝度補正部２０４は輝度向上比計算部２０２から入力された輝度向上比に応答して第１４段階または第１８段階を行える。例えば、輝度向上比計算部２０２が前述の数式（４）のように輝度向上比を計算する場合、輝度補正部２０４は輝度向上比計算部２０２から入力された輝度向上比が「０」である場合、入力端子ＩＮ１を介して入力された色信号の輝度を補正せずに出力端子ＯＵＴ２を介してバイパスさせる（第１４段階）。しかし、輝度補正部２０４は輝度向上比計算部２０２から入力された輝度向上比が「０」ではない場合、入力端子ＩＮ１を介して入力された色信号の輝度を補正し、輝度が補正された結果を出力端子ＯＵＴ２を介して出力する（第１８段階）。
【００２６】
以下、図１４に図示された許容輝度比計算部２００の本発明による実施形態をそれぞれの構成及び動作を添付された図面を参照して次の通り説明する。
図１５は図１４に図示された許容輝度比計算部２００の本発明による望ましい一実施形態２００Ａのブロック図であり、第１ルックアップテーブル（ＬＵＴ：Ｌｏｏｋ Ｕｐ Ｔａｂｌｅ）２２０より構成される。
図１５に図示された許容輝度比計算部２００Ａは図４に図示された第１０Ａ段階を行う役割を果たす。すなわち、第２０段階を行うために、第１ＬＵＴ ２２０は多次元色空間上で色表現可能な最外郭値をデータとして事前に保存し、アドレスとして入力端子ＩＮ３を介して入力される色信号に応答して該当する最外郭値を許容輝度比として出力端子ＯＵＴ３を介して輝度向上比計算部２０２及び比較部２０６にそれぞれ読み出す。このために、入力端子ＩＮ３を介して入力される色信号の３チャネルの強度レベルＸ１，Ｘ２及びＸ３と許容輝度比との関係がＬＵＴに事前に保存される。
図１６は図１４に図示された許容輝度比計算部２００の本発明による望ましい他の実施形態２００Ｂのブロック図であり、彩度計算部２３０及び第２ＬＵＴ ２３２より構成される。
【００２７】
図１６に図示された許容輝度比計算部２００Ｂは図５に図示された第１０Ｂ段階を行う役割を果たす。すなわち、第３０段階を行うために、彩度計算部２３０は入力端子ＩＮ４を介して入力された色信号の彩度値を計算し、計算された彩度値を第２ＬＵＴ ２３２に出力する。このとき、第３２段階を行うために、第２ＬＵＴ ２３２は多次元色空間上で色表現可能な最外郭値をデータとして事前に保存し、アドレスとして彩度計算部２３０から入力される彩度値に応答して該当する最外郭値を許容輝度比として出力端子ＯＵＴ４を介して輝度向上比計算部２０２及び比較部２０６にそれぞれ読み出す。
図１７は図１４に図示された許容輝度比計算部２００の本発明による望ましいさらに他の実施形態２００Ｃのブロック図であり、最小値抽出部２５０、最大値抽出部２５２、第１減算部２５４及び第１除算部２５６より構成される。
図１７に図示された許容輝度比計算部２００Ｃは図７に図示された第１０Ｃ段階を行う役割を果たす。すなわち、最小値抽出部２５０及び最大値抽出部２５２は第５０段階を行う役割を果たす。ここで、最小値抽出部２５０は入力端子ＩＮ５を介して入力された色信号のチャンネルの強度レベルのうち最小値を抽出し、抽出された最小値を第１減算部２５４に出力する。最大値抽出部２５２は入力端子ＩＮ５を介して入力された色信号のチャンネルの強度レベルのうち最大値を抽出し、抽出された最大値を第１減算部２５４に出力する。
【００２８】
第５２段階を行うために、第１減算部２５４は最大値抽出部２５２から入力された最大値から最小値抽出部２５０から入力された最小値を減算し、減算された結果を第１除算部２５６に出力する。
第５４段階を行うために、第１除算部２５６は最大値抽出部２５２から入力された最大値を第１減算部２５４で減算された結果で除算し、除算された結果を許容輝度比として出力端子ＯＵＴ５を介して輝度向上比計算部２０２及び比較部２０６にそれぞれ出力する。
以下、図１４に図示された輝度向上比計算部２０２の本発明による実施形態をそれぞれの構成及び動作を添付された図面を参照して次の通り説明する。
【００２９】
図１８は図１４に図示された輝度向上比計算部２０２の本発明による望ましい一実施形態２０２Ａのブロック図であり、第３ＬＵＴ ２７０より構成される。
図１８に図示された輝度向上比計算部２０２Ａは図８に図示された第１６Ａ段階を行う役割を果たす。第６０段階を行うために、第３ＬＵＴ ２７０は輝度向上比をデータとして事前に保存し、アドレスとして入力端子ＩＮ６を介して許容輝度比計算部２００から入力される許容輝度比に応答して該当する輝度向上比を出力端子ＯＵＴ６を介して輝度補正部２０４に読み出す。
図１９は図１４に図示された輝度向上比計算部２０２の本発明による望ましい他の実施形態２０２Ｂのブロック図であり、第２減算部２８０及び第１乗算部２８２より構成される。
【００３０】
図１９に図示された輝度向上比計算部２０２Ｂは図９に図示された第１６Ｂ段階を行う役割を果たす。第７０段階を行うために、第２減算部２８０は入力端子ＩＮ７を介して入力された所定値から入力端子ＩＮ８を介して許容輝度比計算部２００から入力された許容輝度比を減算し、減算された結果を出力する。このとき、図１９に図示された輝度向上比計算部２０２Ｂは第１乗算部２８２をさらに設けられる。ここで、第１乗算部２８２は第２減算部２８０で減算された結果に入力端子ＩＮ９を介して入力された第１制御定数Ｃ２を乗算し、乗算された結果を輝度向上比として出力端子ＯＵＴ７を介して出力する。
図２０は図１４に図示された輝度向上比計算部２０２の本発明による望ましいさらに他の実施形態２０２Ｃのブロック図であり、第２除算部２９０及び第２乗算部２９２より構成される。
【００３１】
図２０に図示された輝度向上比計算部２０２Ｃは図１０に図示された第１６Ｃ段階を行う役割を果たす。第８０段階を行うために、第２除算部２９０は入力端子ＩＮ１０を介して許容輝度比計算部２００から入力された許容輝度比を入力端子ＩＮ１１を介して入力された所定値で除算し、除算された結果を出力する。このとき、輝度向上比計算部２０２Ｃは第２乗算部２９２をさらに設けられる。ここで、第２乗算部２９２は第２除算部２９０で除算された結果に入力端子ＩＮ１２を介して入力された第２制御定数Ｃ３を乗算し、乗算された結果を輝度向上比として出力端子ＯＵＴ８を介して出力する。
図２１は図１４に図示された輝度補正部２０４の本発明による望ましい一実施形態２０４Ａのブロック図であり、第３減算部３００、第３除算部３０２、第３乗算部３０４及び第１加算部３０６より構成される。
【００３２】
図２１に図示された輝度補正部２０４Ａは図１１に図示された第１８Ａ段階を行う役割を果たす。第９０段階を行うために、第３減算部３００は入力端子ＩＮ１３を介して入力された色信号のチャンネルそれぞれＰｉが有しうる最大強度レベルｍａｘＶａｌｕｅから入力端子ＩＮ１４を介して入力されたチャンネルＰｉの強度レベルＸｉを減算し、減算された結果を第３除算部３０２に出力する。
第９２段階を行うために、第３除算部３０２は第３減算部３００で減算された結果を入力端子ＩＮ１３を介して入力された色信号のチャンネルそれぞれＰｉが有しうる最大強度レベルｍａｘＶａｌｕｅで除算し、除算された結果を第３乗算部３０４に出力する。第９４段階を行うために、第３乗算部３０４は第３除算部３０２で除算された結果を入力端子ＩＮ１５を介して入力された輝度向上比Ｂ＿ｉｎｃ及び入力端子ＩＮ１４を介して入力された強度レベルＸｉと乗算し、乗算された結果を第１加算部３０６に出力する。第９６段階を行うために、第１加算部３０６は第３乗算部３０４で乗算された結果を入力端子ＩＮ１４を介して入力された強度レベルＸｉと加算し、加算された結果をチャンネルＰｉの輝度が補正された結果Ｐｉ’として出力端子ＯＵＴ９を介して出力する。
図２２は図１４に図示された輝度補正部２０４の本発明による望ましい他の実施形態２０４Ｂのブロック図であり、第４除算部３１０、指数部３１２及び第４乗算部３１４より構成される。
【００３３】
図２２に図示された輝度補正部２０４Ｂは図１２に図示された第１８Ｂ段階を行う役割を果たす。第１００段階を行うために、第４除算部３１０は入力端子ＩＮ１７を介して入力された色信号のチャンネルそれぞれＰｉの強度レベルＸｉを入力端子ＩＮ１６を介して入力された色信号のチャンネルそれぞれＰｉが有しうる最大強度レベルｍａｘＶａｌｕｅで除算し、除算された結果を指数部３１２に出力する。
第１０２段階を行うために、指数部３１２は第４除算部３１０で除算された結果に入力端子ＩＮ１８を介して輝度向上比計算部２０２から入力された輝度向上比Ｂ＿ｉｎｃを指数乗し、指数乗した結果を第４乗算部３１４に出力する。第１０４段階を行うために、第４乗算部３１４は指数部３１２で指数乗した結果に入力端子ＩＮ１６を介して入力された色信号のチャンネルそれぞれＰｉが有しうる最大強度レベルｍａｘＶａｌｕｅを乗算し、乗算された結果をチャンネルＰｉの輝度が補正された結果Ｐｉ’として出力端子ＯＵＴ１０を介して出力する。
【００３４】
図２３は図１４に図示された輝度補正部２０４の本発明による望ましいさらに他の実施形態２０４Ｃのブロック図であり、第４減算部３３０、第５除算部３３２、第５乗算部３３４及び第２加算部３３６より構成される。
図２３に図示された輝度補正部２０４Ｃは図１３に図示された第１８Ｃ段階を行う役割を果たす。第１１０段階を行うために、第４減算部３３０は入力端子ＩＮ１９を介して入力された色信号のチャンネルそれぞれＰｉが有しうる最大強度レベルｍａｘＶａｌｕｅから入力端子ＩＮ２０を介して入力された色信号のチャンネルの強度レベルのうち最大値Ｍａｘを減算し、減算された結果を第５除算部３３２に出力する。
【００３５】
第１１２段階を行うために、第５除算部３３２は第４減算部３３０で減算された結果を入力端子ＩＮ１９を介して入力された色信号のチャンネルそれぞれＰｉが有しうる最大強度レベルｍａｘＶａｌｕｅで除算し、除算された結果を第５乗算部３３４に出力する。第１１４段階を行うために、第５乗算部３３４は第５除算部３３２で除算された結果を入力端子ＩＮ２１を介して入力された輝度向上比Ｂ＿ｉｎｃ及び入力端子ＩＮ２０を介して入力された最大値Ｍａｘと乗算し、乗算された結果を第２加算部３３６に出力する。第１１６段階を行うために、第２加算部３３６は第５乗算部３３４で乗算された結果を入力端子ＩＮ２０を介して入力された最大値Ｍａｘと加算し、加算された結果をチャンネルＰｉの輝度が補正された結果Ｐｉ’として出力端子ＯＵＴ１１を介して出力する。
【００３６】
図２４は入力色信号Ｐｉと出力色信号Ｐｉ’間の関係を示すグラフであり、横軸は本発明による色信号の輝度補正方法または装置に与えられる入力色信号Ｐｉを示し、縦軸は本発明による色信号の輝度補正方法または装置により入力色信号Ｐｉから求められる出力色信号Ｐｉ’をそれぞれ示す。
図２及び図２４を参照すれば、低彩度である点Ｑ１の場合、入力Ｉｎｐｕｔ（Ｐｉ）と出力Ｏｕｔｐｕｔ（Ｐｉ’）間の関係が線形である。しかし、高彩度である点Ｑ３の場合、入力Ｐｉの中間レベルで出力Ｐｉ’が大きくなることが分かる。そして、中彩度である点Ｑ２の場合、低彩度と高彩度間の中間値を示すことが分かる。図２４に図示されたグラフで、非線形曲線の振幅は前述の数式（４）及び／または（５）に示された第１及び／または第２制御定数Ｃ２及び／またはＣ３により制御されうる。
【産業上の利用可能性】
【００３７】
本発明である色信号の輝度補正方法及び装置は、ディスプレイモニタまたはカラーテレビのような多元色映像表示装置に効果的に適用可能である。
【図面の簡単な説明】
【００３８】
【図１】４色の原色を表現する多元色映像表示装置の色表現範囲をＲ，Ｇ軸を利用して二次元平面で図示した例である。
【図２】図１の多元色映像表示装置で色表現範囲を彩度軸と輝度比軸とを有する二次元平面で図示した図面である。
【図３】本発明による色信号の輝度補正方法の一実施形態を説明するためのフローチャートである。
【図４】図３に図示された第１０段階に関わる本発明による一実施形態を説明するためのフローチャートである。
【図５】図３に図示された第１０段階に関わる本発明による他の実施形態を説明するためのフローチャートである。
【図６】図５に図示された第３０段階に関わる本発明による実施形態を説明するためのフローチャートである。
【図７】図３に図示された第１０段階に関わる本発明による他の実施形態を説明するためのフローチャートである。
【図８】図３に図示された第１６段階に関わる本発明による望ましい一実施形態を説明するためのフローチャートである。
【図９】図３に図示された第１６段階に関わる本発明による望ましい他の実施形態を説明するためのフローチャートである。
【図１０】図３に図示された第１６段階に関わる本発明による望ましいさらに他の実施形態を説明するためのフローチャートである。
【図１１】図３に図示された第１８段階に関わる本発明による一実施形態を説明するためのフローチャートである。
【図１２】図３に図示された第１８段階に関わる本発明による他の実施形態を説明するためのフローチャートである。
【図１３】図３に図示された第１８段階に関わる本発明によるさらに他の実施形態を説明するためのフローチャートである。
【図１４】本発明による色信号の輝度補正装置の一実施形態のブロック図である。
【図１５】図１４に図示された許容輝度比計算部の本発明による望ましい一実施形態のブロック図である。
【図１６】図１４に図示された許容輝度比計算部の本発明による望ましい他の実施形態のブロック図である。
【図１７】図１４に図示された許容輝度比計算部の本発明による望ましいさらに他の実施形態のブロック図である。
【図１８】図１４に図示された輝度向上比計算部の本発明による望ましい一実施形態のブロック図である。
【図１９】図１４に図示された輝度向上比計算部の本発明による望ましい他の実施形態のブロック図である。
【図２０】図１４に図示された輝度向上比計算部の本発明による望ましいさらに他の実施形態のブロック図である。
【図２１】図１４に図示された輝度補正部の本発明による望ましい一実施形態のブロック図である。
【図２２】図１４に図示された輝度補正部の本発明による望ましい他の実施形態のブロック図である。
【図２３】図１４に図示された輝度補正部の本発明による望ましいさらに他の実施形態のブロック図である。
【図２４】入力色信号と出力色信号間の関係を示すグラフである。
【符号の説明】
【００３９】
２００    許容輝度比計算部
２０２    輝度向上比計算部
２０４    輝度補正部
２０６    比較部
２０８    信号連結部
ＩＮ１，ＩＮ２    入力端子
ＯＵＴ１，ＯＵＴ２    出力端子
【図１】
2005160085.tif 000009
【図２】
2005160085.tif 000010
【図３】
2005160085.tif 000011
【図４】
2005160085.tif 000012
【図５】
2005160085.tif 000013
【図６】
2005160085.tif 000014
【図７】
2005160085.tif 000015
【図８】
2005160085.tif 000016
【図９】
2005160085.tif 000017
【図１０】
2005160085.tif 000018
【図１１】
2005160085.tif 000019
【図１２】
2005160085.tif 000020
【図１３】
2005160085.tif 000021
【図１４】
2005160085.tif 000022
【図１５】
2005160085.tif 000023
【図１６】
2005160085.tif 000024
【図１７】
2005160085.tif 000025
【図１８】
2005160085.tif 000026
【図１９】
2005160085.tif 000027
【図２０】
2005160085.tif 000028
【図２１】
2005160085.tif 000029
【図２２】
2005160085.tif 000030
【図２３】
2005160085.tif 000031
【図２４】
2005160085.tif 000032